(57)【特許請求の範囲】
【請求項１】
上框と下框と戸先框と召合せ框を框組みした障子と、障子に組み込んだ換気装置とを備え、換気装置は、障子の戸先框に沿って配置してあり、上框に係合する上フレームと下框に係合する下フレームとガラス間口側縦フレームと戸先框に係合する戸先側縦フレームとを枠組みしたフレームと、フレーム内に設けた内開き式の換気戸を有し、縦フレームは、室外側戸重合片と室内側戸重合片を有し、室内側戸重合片に換気戸の回転軸を受ける軸受け部が設けてあり、室外側戸重合片と室内側戸重合片に換気戸に当接するタイト材がそれぞれ設けてあり、室内側戸重合片のタイト材は軸受け部の内周側に設けてあることを特徴とする建具。
【請求項２】
上框と下框と戸先框と召合せ框を框組みした障子と、障子に組み込んだ換気装置とを備え、換気装置は、障子の戸先框に沿って配置してあり、上框に係合する上フレームと下框に係合する下フレームとガラス間口側縦フレームと戸先框に係合する戸先側縦フレームとを枠組みしたフレームと、フレーム内に設けた内開き式の換気戸を有し、縦フレームは、室外側戸重合片と室内側戸重合片を有し、下フレームは、その内部に換気装置内に浸入した水を溜める中空部と、室外側戸重合片と室内側戸重合片を有し、縦フレームと下フレームの室外側戸重合片と室内側戸重合片に換気戸に当接するタイト材がそれぞれ設けてあり、下フレームの中空部の室外側の壁に排水孔が設けてあることを特徴とする建具。
【発明の詳細な説明】
【技術分野】
【０００１】
本発明は、障子に換気装置が組み込まれた建具に関する。
【背景技術】
【０００２】
障子に組み込まれる換気装置としては、上框又は下框に設けられる換気框が知られている。換気框は、横にスライドするつまみを操作してスリット状の換気口を開閉するものであるが、換気量が小さい問題があった。
【発明の概要】
【発明が解決しようとする課題】
【０００３】
本発明は以上に述べた実情に鑑み、換気装置の換気量を大きくできると共に、耐風圧性・水密性の優れた建具の提供を目的とする。
【課題を解決するための手段】
【０００４】
上記の課題を達成するために請求項１記載の発明による建具は、上框と下框と戸先框と召合せ框を框組みした障子と、障子に組み込んだ換気装置とを備え、換気装置は、障子の戸先框に沿って配置してあり、上框に係合する上フレームと下框に係合する下フレームとガラス間口側縦フレームと戸先框に係合する戸先側縦フレームとを枠組みしたフレームと、フレーム内に設けた内開き式の換気戸を有し、縦フレームは、室外側戸重合片と室内側戸重合片を有し、室内側戸重合片に換気戸の回転軸を受ける軸受け部が設けてあり、室外側戸重合片と室内側戸重合片に換気戸に当接するタイト材がそれぞれ設けてあり、室内側戸重合片のタイト材は軸受け部の内周側に設けてあることを特徴とする。
【０００５】
請求項２記載の発明による建具は、上框と下框と戸先框と召合せ框を框組みした障子と、障子に組み込んだ換気装置とを備え、換気装置は、障子の戸先框に沿って配置してあり、上框に係合する上フレームと下框に係合する下フレームとガラス間口側縦フレームと戸先框に係合する戸先側縦フレームとを枠組みしたフレームと、フレーム内に設けた内開き式の換気戸を有し、縦フレームは、室外側戸重合片と室内側戸重合片を有し、下フレームは、その内部に換気装置内に浸入した水を溜める中空部と、室外側戸重合片と室内側戸重合片を有し、縦フレームと下フレームの室外側戸重合片と室内側戸重合片に換気戸に当接するタイト材がそれぞれ設けてあり、下フレームの中空部の室外側の壁に排水孔が設けてあることを特徴とする。
【発明の効果】
【０００６】
請求項１記載の発明による建具は、上框に係合する上フレームと下框に係合する下フレームとガラス間口側縦フレームと戸先框に係合する戸先側縦フレームとを枠組みしたフレーム内に内開き式の換気戸を設けた換気装置を、障子の戸先框に沿って縦に配置したので、換気面積が広く、換気量を大きくできる。また、縦フレームは、室外側戸重合片と室内側戸重合片を有し、室外側戸重合片と室内側戸重合片に換気戸に当接するタイト材がそれぞれ設けてあるので、耐風圧性・水密性が優れている。さらに、縦フレームの室内側戸重合片に換気戸の回転軸を受ける軸受け部が設けてあり、軸受け部の内周側に換気戸に当接するタイト材が設けてあることで、換気戸の回転軸と軸受け部の間に雨水が浸入しても、軸受け部の内周側のタイト材が雨水を堰き止めるので、室内まで雨水が浸入しない。
【０００７】
請求項２記載の発明による建具は、上框に係合する上フレームと下框に係合する下フレームとガラス間口側縦フレームと戸先框に係合する戸先側縦フレームとを枠組みしたフレーム内に内開き式の換気戸を設けた換気装置を、障子の戸先框に沿って縦に配置したので、換気面積が広く、換気量を大きくできる。また、縦フレームと下フレームは、室外側戸重合片と室内側戸重合片を有し、室外側戸重合片と室内側戸重合片に換気戸に当接するタイト材がそれぞれ設けてあるので、耐風圧性・水密性が優れている。また、下フレームは、その内部に換気装置内に浸入した水を溜める中空部を有し、中空部の室外側の壁に排水孔が設けてあることで、換気装置内に浸入した水を障子下框のガラス間口を通さずに室外に排水できるので、排水性が良い。
【図面の簡単な説明】
【０００８】
【図１】図３のＡ−Ａ断面図である。
【図２】図３のＢ−Ｂ断面図である。
【図３】本発明の建具の第１実施形態を示す室内側正面図である。
【図４】換気戸を開けた状態を示す横断面図である。
【図５】換気戸の操作部を示す室内側正面図であって、（ａ）は施錠時の状態、（ｂ）は解錠時の状態を示している。
【図６】換気装置の開口部にフィルターを取付けた状態を示す横断面図である。
【図７】同フィルターの取外し方を示す横断面図である。
【図８】本発明の建具の第２実施形態を示す室内側正面図である。
【図９】図８のＣ−Ｃ断面図である。
【図１０】図８のＤ−Ｄ断面図である。
【発明を実施するための形態】
【０００９】
以下、本発明の実施の形態を図面に基づいて説明する。図１〜５は、本発明の建具の第１実施形態を示している。本建具は、図３に示すように、躯体開口部に取付けられる枠４と、枠４内に引違い状に開閉自在に収めた内障子１と外障子２を備える。枠４は、アルミニウム合金の押出形材よりなる上枠２０と下枠２１と左右の縦枠２２，２２とを四周枠組みして構成されている。外障子２は、上框２３と下框２４と戸先框５と召合せ框２５を四周框組みし、その内側にガラス（複層ガラス）２６を嵌め込んで構成してある。内障子１は、上框２３と下框２４と戸先框５と召合せ框２５を四周框組みすると共に、戸先框５の内周側に沿って換気装置３を設け、上框２３と下框２４と召合せ框２５と換気装置３とで形成される開口部にガラス２６を嵌め込んで構成してある。
【００１０】
換気装置３は、図１〜３に示すように、上フレーム６と下フレーム７とガラス間口側縦フレーム８と戸先側縦フレーム９とを四周枠組みしてなる縦に細長い矩形のフレーム１０と、該フレーム１０の室外に面した換気用の開口部２７を開閉する内開き式の換気戸１１とを備えるユニットになっている。
ガラス間口側縦フレーム８は、図１に示すように、内周側にガラス間口１２が形成され、ガラス間口１２の外周側に矩形の中空部１３が設けてある。ガラス間口１２は、戸先框５のガラス間口２９と同じ溝幅で形成してあり、ガラス間口１２にガラス２６の端部が挿入され、シール材２８で固定してある。中空部１３の外周側には、室外側端部に室外側戸重合片１４ａが、見込方向の中間部に室内側戸重合片１５ａがそれぞれ外周側に突出して形成してあり、室外側戸重合片１４ａが室内側戸重合片１５ａよりも外周側に長く突出している。室外側戸重合片１４ａ及び室内側戸重合片１５ａの先端部には、タイト材１６，１７がそれぞれ室内側に向けて取付けてある。室外側のタイト材１６は、Ｌ字型に屈曲した軟質のヒレ片を有し、室内側のタイト材１７は中空部を形成してあり、いずれも室内外方向に柔軟に圧縮復元するものとなっている。
戸先側縦フレーム９は、外周側に戸先框５のガラス間口２９に挿入すると弾発的に係止して抜け止めされる一対の係止片３０，３０を有し、室内側の係止片３０の室内側にはパッキン３１が設けてある。また戸先側縦フレーム９は、室外側端部に室外側戸重合片１４ｂが、見込方向の中間部に室内側戸重合片１５ｂがそれぞれ内周側に突出して形成してあり、室外側戸重合片１４ａ及び室内側戸重合片１５ｂの先端部にタイト材１６，１７がそれぞれ室内側に向けて取付けてある。室内側戸重合片１５ｂは、タイト材保持部３２の外周側に隣接した位置の室外側に、換気戸１１の回転軸３３が係合する軸受け部３４が設けてある。
上フレーム６は、図２に示すように、外周側に上框２３のガラス間口２９に係止する一対の係止片３０，３０を有し、室内側の係止片３０の室内側にパッキン３１が設けてある。また上フレーム６は、室外側端部に室外側戸重合片１４ｃが、見込方向の中間部に室内側戸重合片１５ｃがそれぞれ内周側に突出して形成してあり、室外側戸重合片１４ｃが室内側戸重合片１５ｃよりも内周側に長く突出しており、室外側戸重合片１４ｃ及び室内側戸重合片１５ｃの先端部にタイト材１６，１７がそれぞれ室内側に向けて取付けてある。
下フレーム７は、外周側に下框２４のガラス間口２９に係止する一対の係止片３０，３０を有し、室内側の係止片３０の室内側にパッキン３１が設けてある。係止片３０，３０の内周側には、換気装置３内に浸入した水を一時的に溜めることのできる中空部１８が設けてある。中空部１８の内周側（上側）の壁には、図２，４に示すように、換気装置３内に浸入した水を前記中空部１８に落すための水抜き孔３５が設けてある。中空部１８の室外側の壁の下部には、図２に示すように、中空部１８に溜まった水を室外に排水するための排水孔１９が設けてあり、排水孔１９には排水弁３６が取付けてある。また、中空部１８の室内側壁の上部には、換気戸１１に生じた結露水を受ける結露水受け部３７が室内側に突出して設けてあり、結露水受け部３７の室外側に隣接して形成された傾斜面３８に排水弁３９が設けてあり、結露水受け部３７で受けた結露水はこの排水弁３９を通じて中空部１８へと導かれる。中空部１８の内周側には、室外側端部に室外側戸重合片１４ｄが、見込方向の中間部に室内側戸重合片１５ｄがそれぞれ内周側に突出して形成してあり、室外側戸重合片１４ｄ及び室内側戸重合片１５ｄの先端部にタイト材１６，１７がそれぞれ室内側に向けて取付けてある。
換気装置３のフレーム１０は、図１，２に示すように、結露水受け部３７が室内側に突出しているのを除いて、内障子１の見込み寸法内に納まっている。換気戸１１は、フレーム１０の見込寸法内に納まっている。
【００１１】
換気戸１１は、図１，２に示すように、アルミ製の形材４０の上下端部に樹脂製の端部キャップ４１，４１を取付けて構成してある。形材４０は、左右方向の中央部に中空部４２を有し、中空部４２の室内側壁から左右方向と上下方向に延出する延出部４３ａ，４３ｂ，４３ｃ，４３ｄが設けてあり、延出部４３ａ，４３ｂ，４３ｃ，４３ｄの室外側面に四周のフレーム６，７，８，９の室内側のタイト材１７が室内外方向に若干押し潰された状態で圧着している。また、形材４０の室外側面に四周のフレーム６，７，８，９の室外側のタイト材１６が室内外方向に若干押し潰された状態で圧着している。中空部４２の室外側の壁４２ａは、図１に示すように、外周側に延出すると共に先端部を室内側に向けて湾曲し、その先に回転軸３３を形成してあり、回転軸３３は換気戸１１の見込み寸法の略中央部に位置している。回転軸３３の外周側には、水返し片４４が外周側に突出して設けてある。
換気戸１１は、回転軸３３を戸先側縦フレーム９の軸受け部３４に係合し、戸先側縦フレーム９の室外側戸重合片１４ｂと室内側戸重合片１５ｂの間に外れ止め部品４５を上下方向に間隔をおいて複数取付けることで、図４に示すように、回転軸３３を支点として室内側に回動して開くようになっている。また、戸先側縦フレーム９の上部及び下部の室内側戸重合片１５ｂの室内側にストッパー部品４６が取付けてあり、ストッパー部品４６により換気戸１１の開く角度を６０°までに規制している。換気戸１１を６０°まで開くと、水返し片４４の先端部が外れ止め部品４５に設けた突起４７に係止して、その開き角度に保持される。
【００１２】
換気戸１１は、図３，５に示すように、上下方向の中間部の室内側面に操作部としての平面ハンドル４８が取付けてある。平面ハンドル４８は、換気戸１１の室内側面に形成した孔から中空部４２内に埋め込んで固定されるハウジング４９と、ハウジング４９の前面に設けたボタン５０及び引手５１と、ハウジング４９の後方に設けた作動片５２を有している。引手５１は、ハウジング４９の室内側面と面一となるように収納されており、ボタン５０を押すと室内側に飛び出すようになっている。
図１，５に示すように、換気戸１１の中空部４２の内周側の壁４２ｂには、連動棒５３が上下方向に摺動可能に保持してあり、連動棒５３は平面ハンドル４８の作動片５２と係合している。ガラス間口側縦フレーム８の外周側面には、図１，３に示すように、上部と中間部と下部の３箇所にロックピン５４が取付けてあり、連動棒５３には各ロックピン５４と係合するロック受け５５が取付けてある。すなわち換気戸１１は、上部と中間部と下部の３カ所でロックされている。換気戸１１を開ける際には、平面ハンドル４８のボタン５０を押して引手５１を室内側に飛び出させ、図５（ｂ）に示すように、引手５１を反時計回りに回動させると作動片５２がそれに連動して回動し、作動片５２を介して連動棒５３が下方にスライドして３カ所のロック受け５５が一斉にロックピン５４から外れるので、後は引手５１を引くことで換気戸１１を開けることができる。
【００１３】
以上に述べたように本建具は、上フレーム６と下フレーム７とガラス間口側縦フレーム８と戸先側縦フレーム９とを枠組みしたフレーム１０内に内開き式の換気戸１１を設けた換気装置３を、内障子１の戸先框５に沿って縦に配置したので、換気面積が広く、換気量を大きくできる。また、ガラス間口側縦フレーム８は、図１に示すように、ガラス間口１２の外周側に中空部１３を有しているので、ガラス２６に強い風圧を受けてもガラス間口側縦フレーム８が撓み難い上、中空部１３の外周側に室外側戸重合片１４ａと室内側戸重合片１５ａを有し、室外側戸重合片１４ａと室内側戸重合片１５ａに換気戸１１に当接するタイト材１６，１７がそれぞれ設けてあるので、耐風圧性・水密性が優れている。
さらに換気装置３は、換気戸１１の戸先部を上下方向の複数箇所でロックすることで、ガラス間口側縦フレーム８に中空部１３を設けたことと相まって、耐風圧性をより一層高めることができる。
また換気装置３は、ガラス間口側縦フレーム８と下フレーム７に室外側戸重合片１４ａ，１４ｄと室内側戸重合片１５ａ，１５ｄを有し、ガラス間口側縦フレーム８と下フレーム７の室外側戸重合片１４ａ，１４ｄと室内側戸重合片１５ａ，１５ｄに換気戸１１に当接するタイト材１６，１７がそれぞれ設けてあるので、耐風圧性・水密性が優れている。また下フレーム７は、図２に示すように、換気装置３内に浸入した水を溜める中空部１８を有し、中空部１８の室外側の壁に排水孔１９が設けてあることで、換気装置３内に浸入した水を、図２中の矢印５６に示すように、障子下框２４のガラス間口２９を通さずに室外に排水できるので、排水性が良い。
換気装置３は、四周の全てのフレーム６，７，８，９に室外側戸重合片１４ａ，１４ｂ，１４ｃ，１４ｄと室内側戸重合片１５ａ，１５ｂ，１５ｃ，１５ｄがそれぞれ設けてあり、各室外側戸重合片１４ａ，１４ｂ，１４ｃ，１４ｄと各室内側戸重合片１５ａ，１５ｂ，１５ｃ，１５ｄに換気戸１１に当接するタイト材１６，１７がそれぞれ設けてあることで、フレーム１０と換気戸１１の間に全周にわたり室外側と室内側の２箇所にタイトラインが形成されるため、高い耐風圧性・水密性が得られる。さらに、タイト材１６，１７を、それぞれフレーム１０と換気戸１１の間に室内外方向から挟み込まれるように設けたことで、止水効果をより一層高められる。
さらに換気装置３の下フレーム７は、室内側に結露水受け部３７を有しており、結露水受け部３７で受けた結露水を中空部１８へと導き、中空部１８の室外側の排水孔１９から室外に排水することができる。
換気装置３の戸先側縦フレーム９は、図１に示すように、室外側戸重合片１４ｂと室内側戸重合片１５ｂを有し、室内側戸重合片１５ｂに換気戸１１の回転軸３３を受ける軸受け部３４が設けてあり、軸受け部３４の室内側に換気戸１１に当接するタイト材１７が設けてあることで、換気戸１１の回転軸３３と戸先側縦フレーム９の軸受け部３４の間に雨水が浸入しても、軸受け部３４の室内側のタイト材１７が雨水を堰き止めるので、室内まで雨水が浸入しない。
【００１４】
図６は、換気装置３のフレーム１０の開口部２７にフィルター５７を取付けた例を示している。フィルター５７は、外部カバー５８と内部カバー５９を有し、外部カバー５８はガラス間口側縦フレーム８と戸先側縦フレーム９の室外側戸重合片１４ａ，１４ｂの先端部に係合し、室内側からのネジ６０で固定してあり、内部カバー５９は片方の縁部を外部カバー５８に形成した溝６１に係止し、もう片方の縁部を外部カバー５８にロック片６２で係止して取付けてある。内部カバー５９には、防塵フィルター６３と花粉フィルター６４が積層して保持してある。外部カバー５８と内部カバー５９には、横長のスリット状の換気口６５が上下方向に間隔をおいて多数形成してある。
【００１５】
図７は、同フィルター５７の清掃・交換を行うときの状態を示している。まず、戸先側縦フレーム９に取付けてあるストッパー部品４６を取外し、換気戸１１を通常より大きく室内側に開くようにする。その後、ロック片６２を外した上で、内部カバー５９を室内側に取外す。その後、内部カバー５９から防塵フィルター６３と花粉フィルター６４を取外し、必要に応じて清掃・交換を行う。このようにして、フィルター５７の清掃・交換が室内側から容易に行うことができる。
【００１６】
図８〜１０は、本発明の建具の第２実施形態を示している。本建具も、枠４内に内障子１と外障子２を引違い状に開閉自在に収めたものであり、換気装置３は内障子１ではなく外障子２の戸先框５の内周側に沿って設けてある。換気装置３は、基本的に第１実施形態のものと同じものであり、第１実施形態のものとは左右勝手違いになっている（図１，９参照）。図１０に示すように、換気装置３の下フレーム７は結露水受け部３７を無くしてあり、換気戸１１の操作部は第１実施形態と同じく平面ハンドル４８を用いており、換気装置３全体が外障子２の見込み寸法内に納まっている。したがって、外障子２又は内障子１を開けたときに換気装置３が内障子１と干渉することがなく、換気装置３によって建具の最大開口幅が狭められない。
【００１７】
換気装置３は、内障子１又は外障子２に最初から組み込んでおくこともできるが、既設の建具の内障子１又は外障子２に後から組み込むこともできる。その際には、内障子１又は外障子２の框５，２３，２４，２５をいったんばらし、予め組み立てておいた換気装置３を戸先框５のガラス間口２９に嵌め込んで取付け、換気装置３の幅分だけ小さくしたガラス２６を囲んで四周の框５，２３，２４，２５を再び框組みする。
【００１８】
本発明は以上に述べた実施形態に限定されない。換気装置は、内障子と外障子の両方に設けることもできる。換気装置のフレーム、換気戸の形状、材質等は、適宜変更することができる。障子は、左右に摺動するものに限らず、上下に摺動するもの、室外側又は室内側に開くもの、枠に固定した嵌め殺し障子であってもよい。本発明の建具は、窓に限らず、出入口用の戸に適用することもできる。
【符号の説明】
【００１９】
１  内障子（障子）
２  外障子（障子）
３  換気装置
４  枠
５  戸先框
６  上フレーム
７  下フレーム
８  ガラス間口側縦フレーム
９  戸先側縦フレーム
１０  フレーム
１１  換気戸
１２  ガラス間口
１３  ガラス間口側縦フレームの中空部
１４ａ，１４ｂ，１４ｃ，１４ｄ  室外側戸重合片
１５ａ，１５ｂ，１５ｃ，１５ｄ  室内側戸重合片
１６，１７  タイト材
１８  下フレームの中空部
１９  排水孔
【図１】
0006678066.tif 000002
【図２】
0006678066.tif 000003
【図３】
0006678066.tif 000004
【図４】
0006678066.tif 000005
【図５】
0006678066.tif 000006
【図６】
0006678066.tif 000007
【図７】
0006678066.tif 000008
【図８】
0006678066.tif 000009
【図９】
0006678066.tif 000010
【図１０】
0006678066.tif 000011